(57)【要約】  ホログラフィック記録媒体に／からデータを記録／再生する方法、並びに該記録／再生装置及びホログラフィック記録媒体が開示される。信号光と参照光との干渉によって、データを収めているホログラムが記録されてデータがページ単位で記録されて複数のページが１つのブックに記録されるホログラフィック記録媒体からデータを再生する該方法は、現在再生される現在ブックでの参照光の増減方向が現在ブック以前に再生された以前ブックでの参照光の増減方向と反対になるように参照光を制御する段階と、参照光の制御によってホログラフィック記録媒体から現在ブックのページを再生する段階とを含む。
2010508614.tif 000002
【特許請求の範囲】
【請求項１】
信号光と参照光との干渉によって、データを収めているホログラムが記録され、前記データがページ単位で記録され、複数のページが１つのブックに記録されるホログラフィック記録媒体からデータを再生する方法において、
現在再生される現在ブックでの参照光の増減方向が、前記現在ブック以前に再生された以前ブックでの参照光の増減方向と反対になるように参照光を制御する段階と、
前記参照光の制御によって、前記ホログラフィック記録媒体から前記現在ブックのページを再生する段階とを含むことを特徴とするデータ再生方法。
【請求項２】
前記ホログラフィック記録媒体に参照光が入射される角度は、前記現在ブックのページ及び前記以前ブックのページそれぞれを再生するために変更され、
前記参照光制御段階は、
前記以前ブックでページを再生するために参照光の角度を変更させる方向が、前記現在ブックでページを再生するために参照光の角度を変更させる方向と反対になるように、前記参照光を制御する段階を含むことを特徴とする請求項１に記載のデータ再生方法。
【請求項３】
前記以前ブックに含まれたページの整列順序が、前記現在ブックに含まれたページの整列順序と反対であることを特徴とする請求項１に記載のデータ再生方法。
【請求項４】
前記以前ブックに含まれたページの整列順序が、前記現在ブックに含まれたページの整列順序と同じであることを特徴とする請求項１に記載のデータ再生方法。
【請求項５】
前記現在ブックまたは前記以前ブックが逆方向ページを含んでいるか否かによって、前記ホログラフィック記録媒体から再生したページの順序を再配列する段階をさらに含むことを特徴とする請求項４に記載のデータ再生方法。
【請求項６】
前記再配列段階は、
前記現在ブックまたは前記以前ブックが逆方向ページを有するか否かを判断する段階と、
逆方向ページを有していると判断されるブックの再生されたページの順序を正方向に変えて配列する段階を含むことを特徴とする請求項５に記載のデータ再生方法。
【請求項７】
前記現在ブックまたは前記以前ブックが逆方向ページを有するか否かを判断する段階は、
前記現在ブックまたは前記以前ブック内のページそれぞれに収められた方向情報を利用する段階を含むことを特徴とする請求項６に記載のデータ再生方法。
【請求項８】
前記方向情報は、前記ページが正方向であるか逆方向であるかを識別する方向識別ビットを含むことを特徴とする請求項７に記載のデータ再生方法。
【請求項９】
前記方向識別ビットは、前記ページが正方向であることを示すことを特徴とする請求項８に記載のデータ再生方法。
【請求項１０】
前記方向識別ビットは、前記ページが逆方向であることを示すことを特徴とする請求項８に記載のデータ再生方法。
【請求項１１】
信号光と参照光との干渉によって、データを収めているホログラムが記録され、前記データがページ単位で記録され、複数のページが１つのブックに記録されるホログラフィック記録媒体にデータを記録する方法において、
現在ブックが記録される直前に記録された以前ブックのページのうち、最後のページを再生した参照光の角度において、前記現在ブックのページのうち最初のページを再生できるように、前記現在ブックのページを前記以前ブックのページ順序と異なるように、前記ホログラフィック記録媒体に記録する段階を含むことを特徴とするデータ記録方法。
【請求項１２】
前記現在ブックのページを以前ブックのページ順序と異なるようにホログラフィック記録媒体に記録する段階は、
前記現在ブックのページを前記以前ブックのページの方向と反対方向に記録する段階を含むことを特徴とする請求項１１に記載のデータ記録方法。
【請求項１３】
信号光と参照光との干渉によって、データを収めているホログラムが記録され、前記データがページ単位で記録され、複数のページが１つのブックに記録されるホログラフィック記録媒体にデータを記録する方法において、
ブックに含まれたページの方向が正方向であるか逆方向であるかを示す方向情報を、前記ブックの各ページに含めて記録する段階を含むことを特徴とするデータ記録方法。
【請求項１４】
前記方向情報は、前記ページが正方向であるか逆方向であるかを識別する方向識別ビットを含むことを特徴とする請求項に１３記載のデータ記録方法。
【請求項１５】
前記方向識別ビットは、前記ページが正方向であることを示すことを特徴とする請求項１４に記載のデータ記録方法。
【請求項１６】
前記方向識別ビットは、前記ページが逆方向であることを示すことを特徴とする請求項１４に記載のデータ記録方法。
【請求項１７】
信号光と参照光との干渉によって、データを収めているホログラムが記録され、前記データがページ単位で記録され、複数のページが１つのブックに記録されるホログラフィック記録媒体からデータを再生する装置において、
前記参照光を利用し、前記ホログラフィック記録媒体からページを再生する光処理部と、
前記再生されたページを保存するメモリ部と、
現在再生される現在ブックでの参照光の増減方向が、前記現在ブック以前に再生された以前ブックでの参照光の増減方向と反対になるように参照光を制御する制御部とを備えることを特徴とするデータ再生装置。
【請求項１８】
前記ホログラフィック記録媒体に参照光が入射される角度は、前記現在ブックのページ及び前記以前ブックのページそれぞれを再生するために変更され、
前記制御部は、
前記以前ブックでページを再生するために参照光の角度を変更させる方向が、前記現在ブックでページを再生するために参照光の角度を変更させる方向と反対になるように、前記参照光を制御することを特徴とする請求項１７に記載のデータ再生装置。
【請求項１９】
前記以前ブックに含まれたページの整列順序が、前記現在ブックに含まれたページの整列順序と反対であることを特徴とする請求項１７に記載のデータ再生装置。
【請求項２０】
前記以前ブックに含まれたページの整列順序が、前記現在ブックに含まれたページの整列順序と同じであることを特徴とする請求項１７に記載のデータ再生装置。
【請求項２１】
前記制御部は、
前記ページを前記メモリ部に伝達する前に、前記以前ブックのページ、または前記現在ブックのページが逆方向に配列されているか否かによって、前記以前ブックのページ、または前記現在ブックのページの順序を再配列することを特徴とする請求項２０に記載のデータ再生装置。
【請求項２２】
前記制御部は、
前記以前ブックまたは前記現在ブックが逆方向ページを有するか否かを判断し、逆方向の再生されたページを正方向に変えることを特徴とする請求項２１に記載のデータ再生装置。
【請求項２３】
前記制御部は、
前記以前ブックまたは前記現在ブックの再生されたページに収められた方向情報を利用し、前記以前ブックまたは前記現在ブックの再生されたページが正方向に配列されているか逆方向に配列されているかを確認することを特徴とする請求項２２に記載のデータ再生装置。
【請求項２４】
前記方向情報は、前記ページが正方向であるか逆方向であるかを識別する方向識別ビットを含むことを特徴とする請求項２３に記載のデータ再生装置。
【請求項２５】
前記方向識別ビットは、前記ページが正方向であることを示すことを特徴とする請求項２４に記載のデータ再生装置。
【請求項２６】
前記方向識別ビットは、前記ページが逆方向であることを示すことを特徴とする請求項２４に記載のデータ再生装置。
【請求項２７】
レーザー光を放出する光源と、
前記レーザー光を前記信号光と前記参照光とに分離するビームスプリッタと、
前記信号光を空間的に光変調する空間光変調器と、
前記ビームスプリッタから前記空間光変調器に前記信号光を反射する第１反射鏡と、
前記ビームスプリッタから前記ホログラフィック記録媒体に前記参照光を反射する第２反射鏡と、
前記空間光変調器から出力される空間光変調された信号光を、前記ホログラフィック記録媒体に集光する第１レンズと、
前記第２反射鏡からの参照光を前記ホログラフィック記録媒体に集光する前記第２レンズと、
前記ホログラフィック記録媒体の信号光及び参照光の干渉を介して生成された前記ホログラフィック記録媒体から出力されるデータを検出する検出部とをさらに備えることを特徴とする請求項１７に記載のデータ再生装置。
【請求項２８】
信号光と参照光との干渉によって、データを収めているホログラムが記録され、前記データがページ単位で記録され、複数のページがブックに記録されるホログラフィック記録媒体にデータを記録する装置において、
前記信号光と前記参照光とを利用し、前記ホログラフィック記録媒体に現在ブックのページと、前記現在ブック直前に記録された以前ブックのページとを記録する光処理部と、
前記以前ブックの最後のページを再生した参照光の角度において、前記現在ブックの最初のページを再生できるように、前記現在ブックのページ順序を前記以前ブックのページ順序と反対に整列し、前記整列されたページの記録のために前記ページを前記光処理部に伝達する制御部とを備えることを特徴とするデータ記録装置。
【請求項２９】
前記現在ブックのページのうち最初に再生されるページは、前記現在ブック直前に再生された以前ブックのページのうち、最後に再生されたページが再生された参照光角度で再生されることを特徴とする請求項１に記載のデータ再生方法。
【請求項３０】
前記現在ブックのページのうち最初に再生されるページは、前記現在ブック直前に再生された以前ブックのページのうち、最後に再生されたページが再生された参照光角度で再生されることを特徴とする請求項１７に記載のデータ再生装置。
【請求項３１】
信号光と参照光との干渉によって、データを収めているホログラムが記録され、前記データがページ単位で記録され、複数のページが１つのブックに記録されるホログラフィック記録媒体にデータを記録する装置において、
前記信号光と前記参照光とを利用し、前記ホログラフィック記録媒体にブックのページを記録する光処理部と、
前記各ページに正方向であるか逆方向であるか否かを示す方向情報を挿入し、前記方向情報が含まれたページの記録のために前記ページを前記光処理部に伝達する制御部とを備えることを特徴とするデータ記録装置。
【請求項３２】
前記方向情報は、前記ページが正方向であるか逆方向であるかを識別する方向識別ビットを含むことを特徴とする請求項３１に記載のデータ記録装置。
【請求項３３】
前記方向識別ビットは、前記ページが正方向であることを示すことを特徴とする請求項３２に記載のデータ記録装置。
【請求項３４】
前記方向識別ビットは、前記ページが逆方向であることを示すことを特徴とする請求項３２に記載のデータ記録装置。
【請求項３５】
信号光と参照光との干渉によって、データを収めているホログラムが記録され、前記データがページ単位で記録され、複数のページが１つのブックに記録されるホログラフィック記録媒体において、
以前ブックの記録されたページと、
前記以前ブックが記録された直後に記録される現在ブックの記録されたページとを含み、
前記以前ブックのページが記録された順序は、前記現在ブックのページが記録された順序と反対であることを特徴とするホログラフィック記録媒体。
【請求項３６】
信号光と参照光との干渉によって、データを収めているホログラムが記録され、前記データがページ単位で記録され、複数のページが１つのブックに記録されるホログラフィック記録媒体において、
ブックの記録されたページを含み、
前記各ページは、前記ブックのページが正方向順序に記録されているか逆方向順序に記録されているかを示すための方向情報を含むことを特徴とするホログラフィック記録媒体。
【請求項３７】
前記方向情報は、前記ページが正方向であるか逆方向であるかを識別する方向識別ビットを含むことを特徴とする請求項３６に記載の記録媒体。
【請求項３８】
前記方向識別ビットは、前記ページが正方向であることを示すことを特徴とする請求項３６に記載のホログラフィック記録媒体。
【請求項３９】
前記方向識別ビットは、前記ページが逆方向であることを示すことを特徴とする請求項３６に記載のホログラフィック記録媒体。
【発明の詳細な説明】
【技術分野】
【０００１】
本発明は、ホログラフィック記録媒体、ホログラフィック記録媒体に／からデータを記録／再生する方法及び装置に関するものである。
【背景技術】
【０００２】
光学ホログラフィでデータは、記録媒体の表面ではなく、ボリュームを介して保存される。信号を含んでいる光は、記録媒体内で参照光と干渉を起こし、データページと呼ばれる干渉グレーティングを生成する。複数個のグレーティングが参照光の光学特性を変化させることによって重畳される。かようなプロセスを多重化（multiplexing）と呼ぶ。データ読み出し時には、単一の参照光がデータ記録に使われた条件と同一の条件下で記録媒体に入射され、保存されたデータページを示す回折光を生成する。回折光は、検出アレイによって検出され、該検出アレイは、測定された強度パターン（intensity  pattern）から保存されたデータビットを抽出する。データページは、多数のデータビットまたはピクセルを収めている。かような複数のデータページを同一のボリュームに重畳させることによって、データ保存容量がさらに大きくなりうる。
【０００３】
ホログラムは、データを含む信号光と参照光とを利用して記録される。記録時に、図１Ａに示されているように、参照光Ｒと信号光Ｓは、干渉パターンを生成するために互いに干渉し、かような干渉パターンが媒体に伝達される。再生時に、図１Ｂに示されているように、媒体に記録されたホログラムにオリジナル参照光Ｒを照射すれば、これが記録されたホログラムの回折現象を起こして出力信号光Ｓを生成する。
【０００４】
ホログラム記録媒体の記録は、信号光と参照光との干渉によってなされる。信号光は、空間光変調器（Ｓ：Ｍ：Spatial  Light  Modulator）によって、多数のピクセルからなるページ形態に作られる。作られた信号光は、光学系を経て、参照光と媒体上で干渉を起こす。このように生じた干渉紋（interference  pattern）が媒体上に記録される。再生は、記録された干渉紋に参照光を入射させ、本来記録された信号光が回折現象によって行われる。
【０００５】
ホログラフィック記録媒体に使われる参照光制御方式としては、２つのガルバノ・ミラー（galvano  mirror）を利用するか、ガルバノ・ミラーとスキャナとを利用するか、またはガルバノ・ミラーとトランスレータ（translator）とを利用する方法がある。いずれも参照光の媒体上での位置はそのまま維持させつつ、参照光の角度を記録ページによって変更する方法を提供している。一般的にホログラフィック記録媒体では、参照光の角度を変えていきつつそれぞれのページを記録し、このようにページが集まって１つのブック（book）をなす。再生時には、参照光の角度を変えていきつつ再生することになるが、一般的にブックの最初のページは、常に初期角度から始まる方法を利用している。
【０００６】
図２は、従来技術によって、参照光の角度を変えていきつつページを再生する方法について説明するための参考図である。図２を参照するに、それぞれページ（PAGE）０ないしページ３を含んでいるブック（BOOK）０  ２１０、ブック１  ２２０、ブック２  ２３０、ブック３  ２４０、ブック４  ２５０がホログラフィック記録媒体に記録されている。このとき、データの順序は、ブック０  ２１０のページ０、ページ１、ページ２、ページ３、ブック１  ２２０のページ０、ページ１、ページ２、ページ３の順になっているために、データ再生時にも、かような順序で再生を行ってこそ、ホログラフィック記録媒体にあるデータを正しく再生できる。すなわち、初期参照光の角度を有する参照光（REFERENCE  BEAM）０でブック０  ２１０のページ０を再生し、次に、参照光の角度を一定量変更させ、参照光１でブック０  ２１０のページ１を再生し、次に、参照光の角度を一定量変更させ、参照光２でブック０  ２１０のページ２を再生し、次に、参照光の角度を一定量変更させて参照光３でブック０  ２１０のページ３を再生する。次に、ブック１  ２２０のページ０を再生するために参照光を再び初期参照光角度に変更し、参照光０でブック１  ２２０のページ０を再生する。
【０００７】
このように、各ブックの最初のページを常に同じ参照光角度で再生するためには、１つのブックでページを全部読み込んだ後でブックを読むためには、参照光の角度を再び原位置に変えなければならない。従って、これを実行する過程で時間が消費され、データ伝送率を落とす。
【発明の概要】
【発明が解決しようとする課題】
【０００８】
本発明は、前記のような問題点を解決し、ホログラフィック記録媒体に／からデータの記録／再生を速かに行わせる記録／再生方法、記録／再生装置及びホログラフィック記録媒体を提供することを目的とする。
【課題を解決するための手段】
【０００９】
本発明の一実施形態によれば、信号光と参照光との干渉によって、データを収めているホログラムが記録され、前記データがページ単位で記録され、複数のページが１つのブックに記録されるホログラフィック記録媒体からデータを再生する方法は、現在再生される現在ブックでの参照光の増減方向が、前記現在ブック以前に再生された以前ブックでの参照光の増減方向と反対になるように参照光を制御する段階と、前記参照光の制御によって、前記ホログラフィック記録媒体から前記現在ブックのページを再生する段階とを含む。
【００１０】
前記ホログラフィック記録媒体に参照光が入射される角度は、前記現在ブックのページ及び前記以前ブックのページそれぞれを再生するために変更され、前記参照光制御段階は、前記以前ブックでページを再生するために参照光の角度を変更させる方向が、前記現在ブックでページを再生するために参照光の角度を変更させる方向と反対になるように、前記参照光を制御する段階を含むことができる。
【００１１】
前記以前ブックに含まれたページの整列順序は、前記現在ブックに含まれたページの整列順序と反対であるか、または同一でありえる。
【００１２】
前記以前ブックに含まれたページの整列順序が、前記現在ブックに含まれたページの整列順序と同じである場合、前記方法は、前記現在ブックまたは前記以前ブックが逆方向ページを含んでいるか否かによって、前記ホログラフィック記録媒体から再生したページの順序を再配列する段階をさらに含むことができる。
【００１３】
前記再配列段階は、前記現在ブックまたは前記以前ブックが逆方向ページを有するか否かを判断する段階と、逆方向ページを有していると判断されるブックの再生されたページの順序を正方向に変えて配列する段階とを含むことができる。
【００１４】
前記現在ブックまたは前記以前ブックが逆方向ページを有するか否かを判断する段階は、前記現在ブックまたは前記以前ブック内のページそれぞれに収められた方向情報を利用する段階を含むことができる。
【００１５】
本発明の他の実施形態によれば、信号光と参照光との干渉によって、データを収めているホログラムが記録され、前記データがページ単位で記録され、複数のページが１つのブックに記録されるホログラフィック記録媒体にデータを記録する方法は、現在ブックが記録される直前に記録された以前ブックのページのうち、最後のページを再生した参照光の角度において、前記現在ブックのページのうち最初のページを再生できるように、前記現在ブックのページを前記以前ブックのページ順序と異なるように、前記ホログラフィック記録媒体に記録する段階を含む。
【００１６】
本発明のさらに他の実施形態によれば、信号光と参照光との干渉によって、データを収めているホログラムが記録され、前記データがページ単位で記録され、複数のページが１つのブックに記録されるホログラフィック記録媒体にデータを記録する方法は、ブックに含まれたページの方向が正方向であるか逆方向であるかを示す方向情報を、前記ブックの各ページに含めて記録する段階を含む。
【００１７】
本発明のさらに他の実施形態によれば、信号光と参照光との干渉によって、データを収めているホログラムが記録され、前記データがページ単位で記録され、複数のページが１つのブックに記録されるホログラフィック記録媒体からデータを再生する装置は、前記参照光を利用し、前記ホログラフィック記録媒体からページを再生する光処理部と、前記再生されたページを保存するメモリ部と、現在再生される現在ブックでの参照光の増減方向が、前記現在ブック以前に再生された以前ブックでの参照光の増減方向と反対になるように参照光を制御する制御部とを備える。
【００１８】
本発明のさらに他の実施形態によれば、信号光と参照光との干渉によって、データを収めているホログラムが記録され、前記データがページ単位で記録され、複数のページがブックに記録されるホログラフィック記録媒体にデータを記録する装置は、前記信号光と前記参照光とを利用し、前記ホログラフィック記録媒体に現在ブックのページと、前記現在ブック直前に記録された以前ブックのページとを記録する光処理部と、前記以前ブックの最後のページを再生した参照光の角度において、前記現在ブックの最初のページを再生できるように、前記現在ブックのページ順序を前記以前ブックのページ順序と反対に整列し、前記整列されたページの記録のために前記ページを前記光処理部に伝達する制御部とを備える。
【００１９】
本発明のさらに他の実施形態によれば、信号光と参照光との干渉によって、データを収めているホログラムが記録され、前記データがページ単位で記録され、複数のページが１つのブックに記録されるホログラフィック記録媒体にデータを記録する装置は、前記信号光と前記参照光とを利用し、前記ホログラフィック記録媒体にブックのページを記録する光処理部と、前記各ページに正方向であるか逆方向であるか否かを示す方向情報を挿入し、前記方向情報が含まれたページの記録のために前記ページを前記光処理部に伝達する制御部とを備える。
【００２０】
本発明のさらに他の実施形態によれば、信号光と参照光との干渉によって、データを収めているホログラムが記録され、前記データがページ単位で記録され、複数のページが１つのブックに記録されるホログラフィック記録媒体は、以前ブックの記録されたページと、前記以前ブックが記録された直後に記録される現在ブックの記録されたページとを含み、前記以前ブックのページが記録された順序は、前記現在ブックのページが記録された順序と反対である。
【００２１】
本発明のさらに他の実施形態によれば、信号光と参照光との干渉によって、データを収めているホログラムが記録され、前記データがページ単位で記録され、複数のページが１つのブックに記録されるホログラフィック記録媒体は、ブックの記録されたページを含み、前記各ページは、前記ブックのページが正方向順序に記録されているか逆方向順序に記録されているかを示すための方向情報を含む。
【発明の効果】
【００２２】
本発明によれば、ホログラフィック記録媒体に記録されたブックのページ再生時に、ブックを移動するたびごとに、参照光の角度を初期参照光角度に変更せずにページを再生することによって、再生時間を早くできる。
【００２３】
また記録時にも、ブックを移動するたびごとに、参照光の角度を初期参照光角度に変更する必要がなく、記録時間も短縮できる。
【図面の簡単な説明】
【００２４】
【図１Ａ】光学ホログラフィを利用し、ホログラフィック記録媒体に／からデータを記録／再生する従来の方法について説明するための参考図である。
【図１Ｂ】光学ホログラフィを利用し、ホログラフィック記録媒体に／からデータを記録／再生する従来の方法について説明するための参考図である。
【図２】従来技術によって参照光の角度を変えていきつつページを再生する方法について説明するための参考図である。
【図３】本発明による記録再生装置の概略図である。
【図４Ａ】本発明の一例によってホログラフィック記録媒体に記録されたページを再生する順序について説明するための参考図である。
【図４Ｂ】本発明の一例によってホログラフィック記録媒体に記録されたページを再生する順序について説明するための参考図である。
【図５Ａ】本発明の他の例によってホログラフィック記録媒体に記録されたページを再生する順序について説明するための参考図である。
【図５Ｂ】本発明の他の例によってホログラフィック記録媒体に記録されたページを再生する順序について説明するための参考図である。
【図５Ｃ】図５Ｂの再生順序によって再生したデータの順序を変えて使用する例について説明するための参考図である。
【図６Ａ】本発明による方向情報を含む逆方向ページの一例を示す図である。
【図６Ｂ】本発明による方向情報を含まない正方向ページの一例を示す図である。
【図７】本発明によってホログラフィック記録媒体からデータを再生する方法の過程を示すフローチャートである。
【図８】本発明によってホログラフィック記録媒体にデータを記録する方法の過程を示すフローチャートである。
【図９】本発明によってホログラフィック記録媒体に方向情報を含むページを記録する過程を示すフローチャートである。
【発明を実施するための形態】
【００２５】
以下、添付された図面を参照しつつ、本発明について詳細に説明する。
【００２６】
図３は、本発明の一実施形態によるホログラフィック記録及び／または再生装置３００の概略的なブロック図である。図３を参照するに、本発明の一実施形態によるホログラフィック記録及び／または再生装置３００は、ホログラフィック記録媒体１００が挿入された光処理部３１０、ホログラフィック記録媒体１００に／からデータを記録／再生するように光処理部３１０を制御する制御部３２０、及びホログラフィック記録媒体１００から読み出されたデータを臨時保存したり、またはホログラフィック記録媒体１００に記録されるデータを臨時保存するメモリ３３０を備える。光処理部３１０は、レーザ光源３１１、ビームスプリッタ３１２、第１反射鏡３１３、空間光変調器（ＳＬＭ：Spatial  Light  Modulator）３１４、第１レンズ３１５、第２反射鏡３１６、第２レンズ３１７、第３レンズ３１８及び検出部３１９を備える。前記ＳＬＭは、さまざまな類型でありうる。
【００２７】
制御部３２０は、光処理部３１０を制御し、また記録データを含むデータページを生成して光処理部３１０に伝送し、光処理部３１０から再生された信号をデータ処理する。特に、本発明による制御部３２０は、ホログラフィック記録媒体１００に記録された各ブックの最初のページ再生時ごとに参照光の角度を初期参照光の角度に戻すことを避けるために、現在ブック直前に再生された以前ブックの最後のページを再生したものと同じ参照光角度において、現在ブックで再生される最初のページを再生するように、光処理部３１０を制御する。
【００２８】
ホログラフィック記録媒体１００へのデータ記録時、レーザ光源３１１から出力される干渉性を有するレーザ光はビームスプリッタ３１２に入射され、参照光と信号光とに分離される。信号光はＳＬＭ  ３１４に入射され、記録データを表示するＳＬＭ  ３１４に入射された信号光は、空間光変調（振幅変調）される。変調された信号光は、第１レンズ３１５によって、ホログラフィック記録媒体１００に集光される。一方、参照光は、第２反射鏡３１６によって反射され、第２レンズ３１７によってホログラフィック記録媒体１００に照射される。従って、信号光と参照光とが重なって形成される干渉紋（interference  pattern）がホログラフィック記録媒体１００に微細な疎密パターンとして記録される。
【００２９】
特に、本発明による制御部３２０は、以前ブックで最後のページを再生するための参照光の角度において、現在ブックで再生する最初のページを再生できるように、現在ブックのページ順序を前記以前ブックのページ順序と反対に整列し、このように整列された順序によって、ページのデータを光処理部３１０に提供する。また、制御部３２０は、記録しようとするブックに含まれたページの順序が正方向であるか逆方向であるかを検出する。本発明の一実施形態による制御部３２０は、記録しようというブックに含まれたページの方向が正方向であるか逆方向であるかを示す方向情報を、前記ブックの各ページに含める。しかし、方向情報は他の方法でも挿入でき、あらゆるブックのあらゆるページに挿入される必要はない。例えば、逆方向ページである場合には方向情報を入れ、正方向ページである場合には方向情報を入れないことによって、逆方向順序ページと正方向順序ページとを区分できる。
【００３０】
ホログラフィック記録媒体１００に記録されたデータを再生するためには、再生しようとするデータページを記録するときに利用された参照光と同じ照明光をホログラフィック記録媒体１００に入射させ、ホログラフィック記録媒体１００に記録されている干渉紋に対応する回折光としてデータが再生される。参照光の特性は、波長とホログラフィック記録媒体上の入射角とを含むが、それらに限定されるものではない。該回折光が第３レンズ３１８によって、ＣＣＤ（Charged-Coupled  Device）やＣＭＯＳ（Complimentary  Metal-Oxide  Semiconductor）など、光を検出するディバイスから構成される検出部３１９に集光される。検出部３１９で出力される再生信号は、制御部３２０に伝達される。
【００３１】
特に、本発明による制御部３２０は、以前ブックで最後に再生したページを再生するために利用された参照光の角度において、現在ブックで再生する最初のページを再生するように光処理部３１０を制御する。そして、制御部３２０は、再生したページをメモリ３３０に臨時保管して利用するが、このとき、再生したページの順序が本来正しく再生される順序と反対になっている場合、メモリ３３０に保存されたページを取り出して使用するときに、順序を変えることによってページを正しく利用できることになる。
【００３２】
図４Ａ及び図４Ｂは、本発明の一例によって、ホログラフィック記録媒体に記録されたページを再生する順序について説明するための参考図である。図４Ａ及び図４Ｂを参照するに、ホログラフィック記録媒体に、ブック（BOOK）０  ４１０、ブック１  ４２０、ブック２  ４３０、ブック３  ４４０、ブック４  ４５０が記録されており、各ブックのページ０、ページ１、ページ２及びページ３は、それぞれ参照光（REFERENCE  BEAM）０、参照光１、参照光２、参照光３を利用して記録されている。参照光０は、初期再生角度に対応し、参照光１は、初期再生角度に一定量の角度αが加えられた参照光を示し、参照光２は、参照光１の角度にさらに一定量の角度αが加えられた参照光を示し、参照光３は、参照光２の角度にさらに一定量の角度αが加えられた参照光を示す。かような参照光の数は、角度区分及び記録再生条件によって、さらに増えることもあり、また減ることもあることはいうまでもない。五つ以上またはそれ以下のブックが使われることもあり、四つ以上またはそれ以下のページが各ブックに含まれることもある。
【００３３】
一般的な場合の再生時、前述のように、参照光０を利用してページ０を再生し、参照光１を利用してページ１を再生し、参照光２を利用してページ２を再生し、参照光３を利用してページ３を再生し、次のブックに移動した後に再び参照光０から始まり、ページ０を再生するために、次のブックに移動するとき、参照光の角度を再び初期再生角度に戻す。
【００３４】
しかし、図４Ｂに示された本発明の一例によれば、隣接したブックの場合、ページ順序が反対になっており、ブック０  ４１０で、参照光０、参照光１、参照光２、参照光３の順序に参照光を利用して再生を行い、ブック１  ４２０のページを再生するとき、参照光の角度を再び参照光０に変更する必要がない。すなわち、以前ブックであるブック０  ４１０で最後のページを再生した角度である参照光３の角度をそのまま維持し、参照光３を利用してブック１  ４２０のページ（PAGE）０から再生し始め、参照光２、参照光１、参照光０の順序に参照光を利用して再生する。
【００３５】
例えば、初期参照光の角度が１０であり、αが３であるならば、ブック０  ４１０のページ０ないし３を再生するために、参照光の角度１０、１３、１６、１９を利用して再生し、ブック１  ４２０を再生するとき、参照光の角度１９でブック１  ４２０のページ０を再生し、参照光の角度１６でブック１  ４２０のページ１を再生し、参照光の角度１３でブック１  ４２０のページ２を再生し、参照光の角度１０でブック１  ４２０のページ３を再生する。このとき、ブック０
４１０の参照光３の角度と、ブック１  ４２０の参照光３の角度とが正確に一致せずに微細な差はありえることはいうまでもない。本発明は、かような微細な差異程度を調整して参照光を利用することをいずれも含む。
【００３６】
このために、ページ順序がブック０  ４１０では、参照光０にページ０、参照光１にページ１、参照光２にページ２、参照光３にページ３で対応するが、ブック０  ４１０に隣接したブック１  ４２０の場合、参照光３にページ０、参照光２にページ１、参照光１にページ２、参照光０にページ３で対応する。従って、現在再生される現在ブックの参照光の増減方向が、現在ブック以前に再生された以前ブックの参照光の増減方向と反対である。従って、ブック０のページをいずれも再生した後、ブック１のページの再生開始時に、参照光を再び原位置に戻す必要なしに、角度を順番に移動して再生を行える。ブック１  ４２０の再生が終われば、ブック１  ４２０に隣接したブック２  ４３０の場合は、再びブック０  ４１０と同様に、参照光０にページ０、参照光１にページ１、参照光２にページ２、参照光３にページ３で対応しており、初期参照光の角度から始まってページ０から再生を始めればよい。
【００３７】
かような再生方式を使用する場合、連続したデータの再生において、ブックの移動時に参照光の角度をいちいち原位置に戻す必要がないために、再生速度が速くなりうる。
【００３８】
また、かような再生のためには、ホログラフィック記録媒体にデータを記録するときに、隣接したブックのページ順序が交互に正方向、逆方向、正方向、逆方向の構造になっていなければならない。このために、ホログラフィック記録媒体にデータを記録するときにも、本発明に使用したところと同じ方法で、ブックを移動して最初のページを記録するとき、参照光の角度を初期参照光の角度に変えていない状態で、隣接したブックのデータを記録できる方法を適用できるので、記録速度の側面でも利得がありえる。
【００３９】
図５Ａ及び図５Ｂは、本発明の他の例によって、ホログラフィック記録媒体に記録されたページを再生する順序について説明するための参考図である。図５Ａ及び図５Ｂを参照するに、ホログラフィック記録媒体に、ブック０  ５１０、ブック１  ５２０、ブック２  ５３０、ブック３  ５４０、ブック４  ５５０が記録されており、各ブックのページは、参照光０、参照光１、参照光２、参照光３を利用して記録されている。
【００４０】
もし各ブックのページ順序が交互に正方向、逆方向になっておらず、いずれも正方向になっている場合にも、本発明によって、ブックの移動時に、参照光の角度を初期状態に変更せず再生する方法を使用できる。
【００４１】
図５Ｂに示されているように、ページ順序が常に正方向である場合に、本発明によって、次のブックに移動するときに、参照光の角度を初期参照光の角度に変えずに、次のブックで最後のページから再生するならば、再生されたページの順序は、ブック０  ５１０のページ０、ページ１、ページ２、ページ３、ブック１の５２０ページ３、ページ２、ページ１、ページ０、ブック２  ５３０のページ０、ページ１、ページ２、ページ３になる。すなわち、正方向順序に記録されたブック１  ５２０、ブック３  ５４０のページを逆方向順序に再生するために、これらブックでは、ページ順序が逆に出てくることになる。
【００４２】
かような場合、メモリ部３３０（図３）を使用して、デコーディングされたデータを保存しておいて、データを取り出して使う場合、バッファメモリに使われたページデータを正方向に変えて使用する方式を使うことができる。
【００４３】
図５Ｃは、図５Ｂの再生順序によって再生したデータの順序を変えて使用する例について説明するための参考図である。
【００４４】
図５Ｃを参照するに、メモリには、ブック１のページがページ３、ページ２、ページ１、ページ０の順序になっているが、メモリからページを取り出して使うとき、ブック１のページの順序を変えて使用することによって、正しくデータを使用できる。
【００４５】
図６Ａは、本発明による方向情報を含む逆方向（decreasing）ページの一例、図６Ｂは、方向情報を含まない正方向（increasing）ページの一例を示す。
【００４６】
本発明による再生方法で注意することは、ホログラフィック記録媒体の任意の位置から再生を始めたり、または任意の位置にジャンプする場合である。かような場合、現在再生しようとするブックのページが正方向順序になっているか逆方向順序になっているかを知らねばならないが、このためには、少なくとも２枚のページを再生して見た後で順序が分かることになる。もし図４Ｂのようなデータ構造である場合、方向を誤って設定して読み込めば、ページ０、ページ１、ページ２、ページ３の順序ではない、ページ３、ページ２、ページ１、ページ０の順序にデータが再生されることになる。
【００４７】
かような問題点を解決するために、１ページデータに１ビットを割り当て、現在ブックのページ順序が正方向であるか逆方向であるかを示せば、任意の１ページだけを読み込んでも方向が分かる。図６Ａに示されているように、ページのデータを読み込んで方向情報を含めば、該ページ及び該ブックが属したページが逆方向順序に配されていることが分かり、図６Ｂに示されているように、ページのデータを読み込んで、何の方向情報を含まなければ、該ページ及び該ブックが属したページが正方向順序に配されていることが分かる。もちろん、方向情報を含むことが、該ページ及び該ブックが属したページが正方向順序に配されたことを表示することも可能である。ページ順序を示すために、他のビット構成が使われ、例えば、正方向または逆方向を示すために、複数のビットが使われることも可能である。
【００４８】
図７は、本発明によって、ホログラフィック記録媒体からデータを再生する方法の過程を示すフローチャートである。
【００４９】
現在ブックが再生される直前に再生された以前ブックで最後に再生したページを再生するために利用された参照光の角度において、現在ブックで再生する最初のページを再生するように参照光を制御する（段階７１０）。参照光の制御によって、前記ホログラフィック記録媒体からページのデータを再生する（段階７２０）。
【００５０】
図８は、本発明によって、ホログラフィック記録媒体にデータを記録する方法の過程を示すフローチャートである。
【００５１】
現在ブックが再生される直前に再生された以前ブックで最後のページを再生するための参照光の角度において、現在ブックで再生する最初のページを再生できるように、現在ブックのページ順序を前記以前ブックのページ順序と反対に整列する（段階８１０）。
【００５２】
前記整列された現在ブックのページをホログラフィック記録媒体に記録する（段階８２０）。
【００５３】
図９は、本発明によって、ホログラフィック記録媒体に方向情報を含むページを記録する過程を示すフローチャートである。
【００５４】
記録しようとするブックに含まれたページの順序が正方向であるか逆方向であるかを確認する（段階９１０）。
【００５５】
ブックに含まれたページの方向が正方向であるか逆方向であるかを示す方向情報を、前記ブックの各ページに含めて記録する（段階９２０）。
【００５６】
以上で説明したような記録及び再生方法はまた、コンピュータで読み取り可能な記録媒体にコンピュータで読み取り可能なコードでもって具現することが可能である。コンピュータで読み取り可能な記録媒体は、コンピュータシステムによって読み取り可能なデータが保存されるあらゆる種類の記録装置を含む。コンピュータで読み取り可能な記録媒体の例としては、ＲＯＭ（Read-Only  Memory）、ＲＡＭ（Random-Access  Memory）、ＣＤ−ＲＯＭ、磁気テープ、フロッピー（登録商標）ディスク、光データ保存装置などがあり、またキャリアウェーブ（例えば、インターネットを介した伝送）の形態で具現されるものも含む。また、コンピュータで読み取り可能な記録媒体は、ネットワークに連結されたコンピュータシステムに分散され、分散方式でコンピュータで読み取り可能なコードが保存されて実行されうる。そして、前記記録及び再生方法を具現するための機能的な（function）プログラム、コード及びコードセグメントは、本発明が属する技術分野のプログラマらによって容易に推論されうるであろう。
【００５７】
以上、本発明についてその望ましい実施形態を中心に説明した。本発明が属する技術分野で当業者ならば、本発明が本発明の本質的な特性から外れない範囲で変形された形態で具現できることを理解することができるであろう。従って、開示された実施形態は、限定的な観点ではなくして説明的な観点から考慮されねばならない。本発明の範囲は、前述の説明ではなくして特許請求の範囲に示されており、それと同等な範囲内にあるあらゆる差異点は、本発明に含まれたものと解釈されねばならない。
【図１Ａ】
2010508614.tif 000003
【図１Ｂ】
2010508614.tif 000004
【図２】
2010508614.tif 000005
【図３】
2010508614.tif 000006
【図４Ａ】
2010508614.tif 000007
【図４Ｂ】
2010508614.tif 000008
【図５Ａ】
2010508614.tif 000009
【図５Ｂ】
2010508614.tif 000010
【図５Ｃ】
2010508614.tif 000011
【図６Ａ】
2010508614.tif 000012
【図６Ｂ】
2010508614.tif 000013
【図７】
2010508614.tif 000014
【図８】
2010508614.tif 000015
【図９】
2010508614.tif 000016
【国際調査報告】
2010508614.tif 000017
2010508614.tif 000018